(57)【要約】【課題】看板が強風を受けた場合に、この強風を受け流すことができる看板吊り具を提供する。【解決手段】看板吊り具１は、ヘッド部２０及び軸部２１を備える２つのボールスタッド２と、開口３０が形成された一対の端面部３１を有し、開口３０から軸部２１を突出させた状態でヘッド部２０を回転可能に保持するソケット３と、ソケット３内にスライド可能に設けられる一対の可動部材４と、可動部材４をソケット３の開口３０に向けて付勢して可動部材４を介してヘッド部２０をソケット３の端面部３１に押し当てる少なくとも１つのバネ５とを備える。一方のボールスタッド２の軸部２１に看板１０が固定され、他方のボールスタッド２の軸部２１に看板１０が懸架される支持具１１が固定される。【選択図】図６
2016085312.tif 000002
【特許請求の範囲】
【請求項１】
看板を懸架するための看板吊り具であって、
外周面の少なくとも一部が球面状のヘッド部及び前記ヘッド部から突き出るように設けられる軸部を備える２つのボールスタッドと、
開口が形成された一対の端面部を有し、前記開口から前記軸部を突出させた状態で前記ヘッド部を回転可能に保持する筒状のソケットと、
前記ソケット内にスライド可能に設けられる一対の可動部材と、
前記可動部材を前記ソケットの前記開口に向けて付勢して前記可動部材を介して前記ヘッド部を前記ソケットの前記端面部に押し当てる少なくとも１つのバネとを備え、
一方の前記ボールスタッドの前記軸部に看板が固定され、他方の前記ボールスタッドの前記軸部に看板が懸架される支持具が固定される看板吊り具。
【請求項２】
前記ヘッド部の前記軸部と反対側の頭頂部が平坦面に形成されている請求項１に記載の看板吊り具。
【請求項３】
前記ヘッド部は、
前記軸部が一体に設けられる球状部と、
前記球状部に一体に設けられ、上面が前記平坦面の円錐台状部とからなる請求項２に記載の看板吊り具。
【請求項４】
前記ソケットは軸方向中央部に仕切部材を有し、
前記仕切部材と前記各可動部材との間に前記バネが介装されている請求項１〜３のいずれかに記載の看板吊り具。
【請求項５】
前記仕切部材は中央部に貫通孔が形成され、
前記各可動部材には、一部が前記貫通孔にスライド可能に挿通されるガイド軸が一体に設けられ、
前記バネは、前記各ガイド軸の周囲に配備されたコイルバネよりなる請求項４に記載の看板吊り具。
【発明の詳細な説明】
【技術分野】
【０００１】
本発明は、看板を支持具に懸架する際に用いられる看板吊り具に関する。
【背景技術】
【０００２】
一般道路や高速道路などには、道路標識が設置されている。この道路標識を設置する方法としては種々の方法があるが、例えば、道路脇に逆Ｌ字型の支柱を立設し、支柱の上端の水平バー部分に道路標識を懸架する方法がある。この方法では、図２６〜図２８に示すように、支柱１００の水平バー部分１０１に溶接などにより固定された取付金具１０２と、道路標識１０３の裏面に道路標識の補強も兼ねて設けられた細長い取付金具１０４とを、連結具１０７を介してボルト１０５及びナット１０６により固定することで、道路標識１０３が支柱１００に垂直に吊り下げられる（例えば特許文献１を参照）。
【先行技術文献】
【特許文献】
【０００３】
【特許文献１】特開平１１−７１７２５号公報
【発明の概要】
【発明が解決しようとする課題】
【０００４】
しかし、上述した道路標識の設置方法では、支柱１００に対して道路標識１０３が揺動しないよう完全に固定されている。そのため、台風や突風などの強風が道路標識１０３に当たると、道路標識１０３は強風を受け流すようには設置されていないことから、道路標識１０３には強風による外圧が作用する。道路標識１０３が強風による外圧を受け続けると、負荷の蓄積により道路標識１０３が破損する、破損により道路標識１０３の一部が飛散する、あるいは道路標識１０３を懸架するために用いられる取付金具１０２，１０４や連結具１０７が破損して道路標識１０３が落下するなどの危険性を有している。
【０００５】
このような問題は、道路標識板のみならず、道路標識板以外の交通標識板やその他の用途の標識板、さらには、案内表示板や広告表示板など、支柱などの支持具に懸架されることで設置される看板において起こりうる問題である。
【０００６】
本発明は、上記した課題に着目してなされたもので、看板が強風を受けた場合に、この強風を受け流すことができる看板吊り具を提供することを目的とする。
【課題を解決するための手段】
【０００７】
本発明の前記目的は、看板を懸架するための看板吊り具であって、外周面の少なくとも一部が球面状のヘッド部及び前記ヘッド部から突き出るように設けられる軸部を備える２つのボールスタッドと、開口が形成された一対の端面部を有し、前記開口から前記軸部を突出させた状態で前記ヘッド部を回転可能に保持する筒状のソケットと、前記ソケット内にスライド可能に設けられる一対の可動部材と、前記可動部材を前記ソケットの前記開口に向けて付勢して前記可動部材を介して前記ヘッド部を前記ソケットの前記端面部に押し当てる少なくとも１つのバネとを備え、一方の前記ボールスタッドの前記軸部に看板が固定され、他方の前記ボールスタッドの前記軸部に看板が懸架される支持具が固定される看板吊り具により達成される。
【０００８】
上記構成の看板吊り具において、前記ヘッド部の前記軸部と反対側の頭頂部が平坦面に形成されていることが好ましい。
【０００９】
また、前記ヘッド部は、前記軸部が一体に設けられる球状部と、前記球状部に一体に設けられ、上面が前記平坦面の円錐台状部とからなることが好ましい。
【００１０】
また、前記ソケットは軸方向中央部に仕切部材を有し、前記仕切部材と前記各可動部材との間に前記バネが介装されていることが好ましい。
【００１１】
また、前記仕切部材は中央部に貫通孔が形成され、前記各可動部材には、一部が前記貫通孔にスライド可能に挿通されるガイド軸が一体に設けられ、前記バネは、前記各ガイド軸の外周に配備されたコイルバネよりなることが好ましい。
【発明の効果】
【００１２】
本発明の看板吊り具によれば、看板が強風を受けても、強風を受け流すように看板を支持具に吊り下げることができるので、強風により、看板が破損する、破損により看板の一部が飛散する、あるいは看板を懸架するために用いられる取付金具や連結具が破損して看板が落下することなどを防止することができる。
【図面の簡単な説明】
【００１３】
【図１】本発明の一実施形態に係る看板吊り具の側面図である。
【図２】図１の平面図である。
【図３】図１の底面図である。
【図４】図１の断面図である。
【図５】ヘッド部が回転した状態の看板吊り具の側面図である。
【図６】図５の断面図である。
【図７】図６の要部の拡大図である。
【図８】ボールスタッドの側面図である。
【図９】図９の平面図である。
【図１０】図８の底面図である。
【図１１】ソケットを構成する円筒体の側面図である。
【図１２】図１１の平面図である。
【図１３】図１１の底面図である。
【図１４】図１１の断面図である。
【図１５】座金部材の側面図である。
【図１６】図１５の平面図である。
【図１７】図１５の断面図である。
【図１８】可動部材の側面図である。
【図１９】図１８の平面図である。
【図２０】図１８の底面図である。
【図２１】看板吊り具を用いて看板を支持具に懸架した状態の背面図である。
【図２２】図２１の右側面図である。
【図２３】看板吊り具を用いて看板を支持具に懸架した状態において、看板が風を受けたときの右側面である。
【図２４】本発明の他の実施形態に係る看板吊り具の断面図である。
【図２５】本発明の他の実施形態に係る看板吊り具の側面図である。
【図２６】従来技術の看板吊り具を用いて看板を支持具に懸架した状態の背面図である。
【図２７】図２６の要部の拡大図である。
【図２８】図２７の右側面図である。
【発明を実施するための形態】
【００１４】
以下、本発明の実態形態について添付図面を参照して説明する。図１〜図３は、本発明の一実施形態に係る看板吊り具１の外観構成を示し、図４は、看板吊り具１の内部構成を示している。
【００１５】
この看板吊り具１は、一般道路や高速道路などに設置される各種の道路標識板、道路標識板以外の交通標識板やその他の用途の標識板、さらには、街中に設置される各種の案内表示板や広告表示板などの看板を懸架するためのものである。例えば道路標識は、道路脇に逆Ｌ字型の支柱が支持具として立設され、支柱の上端の水平バー部分に吊り下げるようにして設置される。
【００１６】
取付金具１は、２つのボールスタッド２と、筒状のソケット３と、ソケット３内に軸方向にスライド可能に設けられる一対の可動部材４と、ソケット３内に設けられる少なくとも１つのバネ５とを備えている。
【００１７】
ボールスタッド２は、図１〜図７に示すように、鉄や鋼鉄の他、非鉄金属などの金属材料により形成されており、略球形状のヘッド部２０と、ヘッド部２０から突き出るように設けられる軸部２１とを備えている。軸部２１は、看板吊り具１を看板及び看板を懸架するための支持具に固定する部分であり、本実施形態では丸棒状に形成され、先端部分（ヘッド部２０とは反対側の部分）が外周面に雄ネジが形成されたボルト部２２となっている。また、軸部２１のボルト部２２及びヘッド部２０の間にはフランジ２３が一体に設けられている。
【００１８】
ヘッド部２０は、外周面の少なくとも一部が断面視で円弧状に湾曲する球面状に形成されており、この球面状の部分がソケット３内で滑らかに転動することで、回転可能となっている。また、ヘッド部２０は、軸部２１が接続される側と反対側の頭頂部が平坦面２０Ａに形成されている。本実施形態では、ヘッド部２０は、軸部２１が一体に設けられる外周面が球面２０Ｂの球状部２４と、球状部２４に一体に設けられる円錐台状部２５とからなる。球状部２４は、球体の両側の一部が互いに平行な平面で切り落とされたような形状をしており、一方の平坦な切断面に軸部２１が接続され、他方の平坦な切断面に円錐台状部２５が連なっている。円錐台状部２５は、円錐の一部を底面に平行な平面で切り落とした形状であり、外周面が断面視で直線状に傾斜する傾斜面２０Ｃであり、上面が平坦面２０Ａとなっている。このように、本実施形態のヘッド部２０は、頭頂部に向けて、球面２０Ｂ、傾斜面２０Ｃ、平坦面２０Ａが順に連なった形状を有している。
【００１９】
ソケット３は、図１〜図４に示すように、軸方向両端の一対の端面部３１に開口３０が形成された筒状の部材であり、鉄や鋼鉄の他、非鉄金属などの金属材料により形成されている。ソケット３の端面部３１は、ソケット３の軸方向両端から内側に向かって突き出ている。ソケット３の開口３０の径は、ボールスタッド２のヘッド部２０の径よりも小さく、端面部３１によりヘッド部２０がソケット３の外部に抜け出るのが防止されている。ボールスタッド２のヘッド部２０は、ソケット３内に回転可能に保持されており、図５及び図６に示すように、端面部３１と可動部材４とで挟まれた状態で転動するように構成されている。また、ボールスタッド２の軸部２１は、ソケット３の端面部３１の開口３０から外部に突出している。
【００２０】
ソケット３の端面部３１の内側に突き出た先端面は、ヘッド部２０の球状部２４の外周面の球面２０Ｂに沿った湾曲面３１Ａに形成されている。これにより、ヘッド部２０の球状部２４がソケット３の端面部３１において滑らかに回転可能となっている。
【００２１】
また、図７に示すように、ヘッド部２０の回転により、円錐台状部２５の外周面の傾斜面２０Ｃが可動部材４の表面に突き当たって面接触することで、ヘッド部２０のこれ以上の回転が規制されている。本実施形態では、ボールスタッド２の軸部２１のソケット３の軸方向に対する揺動角度が最大で４５度となるまで、ヘッド部２０はソケット３内で回転可能となっている。なお、上記したボールスタッド２の軸部２１のソケット３の軸方向に対する最大揺動角度は、ヘッド部２０の円錐台状部２５の傾斜面２０Ｃの傾斜角度を変更することにより適宜設定することができる。
【００２２】
ソケット３は、本実施形態では、２つの中空の円筒体３２（図１１〜図１４に示す）と、両円筒体３２に挟まれる仕切部材３３（図１５〜図１７に示す）とから構成されている。円筒体３２は、一端にフランジ３４が、他端に端面部３１が一体に設けられている。フランジ３４には、複数（図示例では４つ）のボルト挿通孔３５が等間隔（図示例では９０度等間隔）で形成されている。
【００２３】
仕切部材３３は、所定の厚みを有する板状の部材よりなり、本実施形態では円盤状である。仕切部材３３は、鉄や鋼鉄の他、非鉄金属などの金属材料により形成されている。仕切部材３３の中央部には貫通孔３６が形成されている。また、仕切部材３３の外周縁部には、複数（図示例では４つ）のボルト挿通孔３７が等間隔（図示例では９０度等間隔）で形成されている。仕切部材３３の外周縁部を両円筒体３２のフランジ３４で挟持し、ボルト３８を両フランジ３４のボルト挿通孔３５及び仕切部材３３のボルト挿通孔３５に挿通して、ナット３９により締め付けて固定することで、ソケット３が組み立てられる。
【００２４】
一対の可動部材４は、図４及び図１８〜図２０に示すように、ソケット３内の仕切部材３３により仕切られた２つの内部空間にそれぞれ収容されている。可動部材４は、所定の厚みを有する板状の部材よりなり、本実施形態では円盤状である。可動部材４は、鉄や鋼鉄の他、非鉄金属などの金属材料により形成されている。可動部材４には、丸棒状のガイド軸４０が可動部材４の一方の板面に直立した姿勢で一体に設けられている。ガイド軸４０は、その一部が仕切部材３３の貫通孔３６に挿通されている。ガイド軸４０が仕切部材３３の貫通孔３６に沿って往復移動することで、可動部材４がぶれることなくソケット３内を軸方向にスライド可能となっている。
【００２５】
バネ５は、図４に示すように、仕切部材３３と各可動部材４との間にそれぞれ１つずつ（計２つ）配備されている。本実施形態では、バネ５はコイルバネにより構成されており、ガイド軸４０の周囲に配備されている。バネ５は、圧縮された状態で仕切部材３３と可動部材４との間に配備されており、バネ５の復帰しようとするバネ圧が可動部材４に作用することにより、可動部材４はソケット３の開口３０に向けて付勢される。これにより、可動部材４を介して、ボールスタッド２のヘッド部２０がソケット３の端面部３１に押し当てられている。
【００２６】
上記構成の看板吊り具１を用いて看板１０を吊り下げるには、図２１及び図２２に示すように、一方（図示例では下方）のボールスタッド２の軸部２１に看板１０を固定し、他方（図示例）のボールスタッド２の軸部２１に看板１０が懸架される支持具１１を固定する。ここで、一方（図示例では下方）のボールスタッド２の軸部２１と看板１０との固定は、本実施形態では、連結具１２を介して行われている。具体的には、看板１０の裏面に補強も兼ねて固定された細長い取付金具１３と連結具１２とがボルト１４及びナット１５により固定されており、この連結具１２にボールスタッド２の軸部２１のボルト部２２がナット１６による締め付けによって固定されている。また、他方（図示例では上方）のボールスタッド２の軸部２１と支持具１１との固定も、本実施形態では、連結具１７を介して行われている。具体的には、支持具１１に固定された取付金具１８と連結具１７とがボルト１４及びナット１５により固定されており、この連結具１８にボールスタッド２の軸部２１のボルト部２２がナット１６による締め付けによって固定されている。
【００２７】
本実施形態の看板吊り具１によると、常時は、バネ５のバネ圧により、各可動部材４を介して各ボールスタッド２のヘッド部２０がソケット３の各端面部３１に押し当てられているので、各ヘッド部２０はソケット３内で回転することが抑制されている。よって、看板吊り具１は、各ボールスタッド２の軸部２１が直線状に並ぶ直立姿勢で保持されるので、看板１０を支持具１１に垂直に吊り下げることができる。
【００２８】
また、この看板１０を支持具１１に垂直に吊り下げた状態では、ボールスタッド２のヘッド部２０の頭頂部の平坦面２０Ａが可動部材４の平坦な表面と面接触している。よって、ボールスタッド２のヘッド部２０が可動部材４にがたつくことなく突き当たっているので、ボールスタッド２の軸部２１を揺動することなく安定的に直立姿勢で保持することができる。よって、看板１０も揺動することなく安定した状態で支持具１１に垂直に吊り下げることができる。
【００２９】
また、バネ５のバネ圧により、各ボールスタッド２のヘッド部２０がソケット３の各端面部３１に押し当てられて回転が抑制されていることで、さほど風速の速くない風を看板１０が受けてもヘッド部２０が回転しないため、看板１０は揺動せずに支持具１１に垂直に吊り下げられた状態が保持される。よって、看板１０は、所定の風速以上の強風を受けるまでは初期の姿勢が維持されるので、看板１０の見やすさを十分に確保することができる。
【００３０】
一方で、所定の風速以上の強風が看板１０に当たると、図２３に示すように、各ボールスタッド２のヘッド部２０は、バネ５のバネ圧によりソケット３の各端面部３１に押し当てられながらも、バネ圧に抗してソケット３内で回転する。これにより、看板１０がソケット３に対して風が吹く方向に揺動するとともにソケット３が支持具１１（連結具１７）に対して風が吹く方向に揺動する結果、看板１０は強風を受けても、揺動により看板１０に作用する風圧を緩和できる。その結果、看板１０や看板１０を懸架するために用いられる取付金具１３，１８及び連結具１２，１７が、強風により受ける負荷を軽減することができる。
【００３１】
そして、風が弱まる又は風がなくなると、看板１０の自重及びバネ５のバネ圧によって各ボールスタッド２のヘッド部２０は上記とは逆方向へ回転し、看板１０は初期の支持具１１に垂直に吊り下げられた状態に戻ることが可能となる。
【００３２】
なお、看板１０を揺動させるのに必要な風の風速は、可動部材４を介してボールスタッド２のヘッド部２０に作用させるバネ５のバネ圧を変更することにより、適宜設定することができる。
【００３３】
以上のように、本実施形態の看板吊り具１は、看板１０が強風を受けても、強風を受け流すように看板１０を支持具１１に吊り下げることができるので、強風により、看板１０が破損する、破損により看板１０の一部が飛散する、あるいは看板１０を懸架するために用いられる取付金具１３，１８や連結具１２，１７が破損して看板１０が落下することなどを防止することができる。
【００３４】
以上、本発明の一実施形態について説明したが、本発明は上記実施形態に限定されるものではなく、本発明の趣旨を逸脱しない限りにおいて種々の変更が可能である。例えば、上記実施形態では、ソケット３は、２つの円筒体３２の間に仕切部材３３が挟まれた構成であるが、仕切部材３３は必ずしも不可欠なものではなく、この仕切部材３３をなくし、２つのバネ５を１つのバネ５に代えて、１つのバネ５を２つの可動部材４の間に介装するようにしてもよい。
【００３５】
また、上記実施形態では、可動部材４はガイド軸４０が一体に設けられた構成であるが、ガイド軸４０は必ずしも不可欠なものではなく、図２４に示すように、このガイド軸４０をなくしてもよい。なお、図２４に示す看板吊り具１の基本的な構成は、上記実施形態と同様であり、ここでは対応する構成に同一の符号を付することで詳細な説明を省略する。図２４の実施形態では、ソケット３内のバネ５の周囲に円筒状のガイド筒５０が設けられている。また、可動部材４は、バネ５と当接する側の表面に凹状の溝４１が形成されており、バネ５の先端部が溝４１内に嵌まり込んでいる。この図２４の実施形態においても、一対の可動部材４は、ソケット３内の仕切部材３３により仕切られた２つの内部空間を軸方向にスライド可能であり、バネ５のバネ圧が可動部材４に作用することにより、可動部材４はソケット３の開口３０に向けて付勢され、ボールスタッド２のヘッド部２０をソケット３の端面部３１に押し当てることが可能である。この図２４の実施形態においても、仕切部材３３は必ずしも不可欠なものではなく、この仕切部材３３をなくし、２つのバネ５を１つのバネ５に代えて、１つのバネ５を２つの可動部材４の間に介装するようにしてもよい。この場合には、ガイド筒５０も１つでよい。
【００３６】
また、上記実施形態では、ソケット３は、２つの円筒体３２及び仕切部材３３、又は、２つの円筒体３２で構成されるが、必ずしもこの構成に限られるものではなく、種々の部材で構成することができる。例えば図２５に示すように、両端が開口した円筒状の外筒４２と、外筒４２の両端にネジ結合により連結される２つの円筒状の保持筒４３とで構成することもできる。保持筒４３は一端が開口し、他端に開口３０を有する端面部３１を備えており、保持筒４３内に開口３０からボールスタッド２の軸部２１を突出させた状態でヘッド部２０が回転可能に保持されている。外筒４２内には、図示は省略するが、上記実施形態と同様に、ガイド軸を有する一対の可動部材が軸方向にスライド可能に設けられている。また、外筒４２内には、コイルバネからなるバネが各ガイド軸の周囲に配置されるとともに、両可動部材の間に配置されており、各可動部材を保持筒４３（ソケット３）の開口３０に向けて付勢して可動部材を介してヘッド部２０を保持筒４３（ソケット３）の端面部３１に押し当てている。この図２５の実施形態の看板吊り具１によっても、上記実施形態の看板吊り具１と同様の作用・効果を奏する。
【００３７】
また、上記実施形態では、バネ５としてコイルバネを用いているが、板バネなどを用いることも可能である。
【００３８】
また、ボールスタッド２及びソケット３には、ソケット３の上部及びソケット３内に収容されるボールスタッド２のヘッド部２０を覆うように、ソケット３内への防塵、防水を目的として、ダストカバーを設けるようにしてもよい。ダストカバーは、例えば、弾性変形可能なゴム材又は軟質の合成樹脂材などによって構成される。
【符号の説明】
【００３９】
１    看板吊り具
２    ボールスタッド
３    ソケット
４    可動部材
５    バネ
１０  看板
１１  支持具
２０  ヘッド部
２０Ａ  平坦面
２１  軸部
２４  球状部
２５  円錐台状部
３０  開口
３１  端面部
３３  仕切部材
３６  貫通孔
４０  ガイド軸
【図２】
2016085312.tif 000003
【図３】
2016085312.tif 000004
【図４】
2016085312.tif 000005
【図６】
2016085312.tif 000006
【図７】
2016085312.tif 000007
【図９】
2016085312.tif 000008
【図１０】
2016085312.tif 000009
【図１１】
2016085312.tif 000010
【図１２】
2016085312.tif 000011
【図１３】
2016085312.tif 000012
【図１４】
2016085312.tif 000013
【図１５】
2016085312.tif 000014
【図１６】
2016085312.tif 000015
【図１７】
2016085312.tif 000016
【図１８】
2016085312.tif 000017
【図１９】
2016085312.tif 000018
【図２０】
2016085312.tif 000019
【図２４】
2016085312.tif 000020
【図２６】
2016085312.tif 000021
【図１】
2016085312.tif 000022
【図５】
2016085312.tif 000023
【図８】
2016085312.tif 000024
【図２１】
2016085312.tif 000025
【図２２】
2016085312.tif 000026
【図２３】
2016085312.tif 000027
【図２５】
2016085312.tif 000028
【図２７】
2016085312.tif 000029
【図２８】
2016085312.tif 000030